(57)【要約】【課題】  毛髪等の異物が装置内部に浸入するのを確実に防止できて、安定した給湯性能を長期間維持することができる浴槽用温水口装置を提供する。【解決手段】  本発明の装置は、浴槽内側に突設され、後壁５１が浴槽壁部に沿う区画室部材５０と、区画室部材５０内に設けられ、浴槽内部に連通する第１及び第２区画室５ａ、５ｂと、区画室部材５０の後壁外面に設けられ、浴槽外部に連通する第１及び第２流路Ａ、Ｂと、第１及び第２区画室５ａ、５ｂと第１及び第２流路Ａ、Ｂとの間を連通する第１及び第２連通孔路５１ａ、５１ｂとを備える。第１連通孔路５１ａが、第１区画室５ａ内の後壁５１に設けられ、浴槽外側に向けて凹陥形成された第１凹陥部５１１ａと、第１凹陥部５１１ａの周側部に設けられ、第１流路Ａに連通する第１周側開口５２２ａとを有する。第１周側開口５２２ａに、桟部材５３０ａが設けられる。【選択図】      図１
2005308343.tif 000002
【特許請求の範囲】
【請求項１】
浴槽壁部に貫通状態に取り付けられる浴槽用温水口装置であって、
浴槽内側に突出状に設けられ、かつ後壁が浴槽壁部に沿って配置される区画室部材と、
前記区画室部材内に設けられ、かつ浴槽内部に連通する第１及び第２区画室と、
前記区画室部材の後壁背面側に設けられ、かつ浴槽外部に連通する第１及び第２流路と、
前記第１及び第２区画室と前記第１及び第２流路との間を連通する第１及び第２連通孔路とを備え、
前記第１連通孔路が、前記第１区画室内の後壁に設けられ、かつ浴槽外側に向けて凹陥形成された第１凹陥部と、その第１凹陥部の周側部に設けられ、かつ前記第１流路に連通する第１周側開口とを有し、
前記第１周側開口に、少なくとも１本以上の桟部材が設けられてなることを特徴とする浴槽用温水口装置。
【請求項２】
前記第２連通孔路が、前記第２区画室内の後壁に設けられ、かつ浴槽外側に向けて凹陥形成された第２凹陥部と、その第２凹陥部の周側部に設けられ、かつ前記第２流路に連通する第２周側開口とを有し、
前記第２周側開口に、少なくとも１本以上の桟部材が設けられてなる請求項２記載の浴槽用温水口装置。
【請求項３】
浴槽壁部に貫通状態に取り付けられる浴槽用温水口装置であって、
浴槽内側に突出状に設けられ、かつ後壁が浴槽壁部に沿って配置される区画室部材と、
前記区画室部材内に設けられ、かつ浴槽内部に連通する第１及び第２区画室と、
前記区画室部材の後壁背面側に設けられ、かつ浴槽外部に連通する第１及び第２流路と、
前記第１及び第２区画室と前記第１及び第２流路との間を連通する第１及び第２連通孔路とを備え、
前記第１及び第２連通孔路の一端が前記第１区画室内の後壁内面に開口されるとともに、他端が前記第１及び第２流路内に開口され、
前記第１連通孔路の中間部が屈曲形成され、
前記第１連通孔路の屈曲部よりも他端側に、少なくとも１本以上の桟部材が設けられてなることを特徴とする浴槽用温水口装置。
【請求項４】
前記第２連通孔路の中間部が屈曲形成され、
前記第２連通孔路の屈曲部よりも他端側に、少なくとも１本以上の桟部材が設けられてなる請求項３記載の浴槽用温水口装置。
【請求項５】
前記連通孔路の中間部が略直角に屈曲形成されてなる請求項３又は４記載の浴槽用温水口装置。
【発明の詳細な説明】
【技術分野】
【０００１】
この発明は、浴槽壁部に設けられ、浴槽に対し温水の吐出や吸込を行うための浴槽用温水口装置に関する。
【背景技術】
【０００２】
従来、浴槽と給湯機とが配管接続されて、湯はり処理や追い焚き処理を行うようにした浴槽システムが周知である。この浴槽システムにおいては、浴槽の側壁に貫通状態に温水口装置が取り付けられるとともに、この装置と室外の給湯機とが配管接続されている。そして、湯はり時には、給湯機から供給された温水を温水口装置を介して浴槽内に導入するとともに、追い焚き時には、槽内の温水を温水口装置から吸い込んで給湯機に送り込み、そこで再加熱した後、槽内に戻すようにしている。
【０００３】
このような浴槽システムに用いられる温水口装置としては、例えば下記特許文献１に示すものが周知である。この温水口装置は、浴槽内側に突出するように配置される浴槽内突出部を具備し、この浴槽内突出部の内部には、第１及び第２区画室が設けられている。更に浴槽内突出部の前面側に第１及び第２吸込口が設けられるとともに、浴槽内突出部の周側面に第１及び第２吐出口が設けられている。また温水口装置の内部には、浴槽の内外を連通する第１及び第２流路を有している。そして、室外給湯機に接続される外部戻り管が、例えば第１流路に接続されるとともに、給湯機側の外部往き管が、第２流路に接続されている。この構成において、湯はり時には、外部往き管及び戻り管から供給される温水が第１及び第２流路を通って、第１及び第２区画室内に導入されて、第１及び第２吐出口から浴槽内に供給される一方、追い炊き時には、外部往き管から供給される温水が第２流路を通って第２区画室内に導入されて、第２吐出口から浴槽内に供給されるとともに、第１吸込口から第１区画室内に吸い込まれた低温の浴槽水が第１流路を通って外部戻り管から室外給湯機に送り込まれることにより、浴槽水が強制的に循環されるよう構成されている。
【特許文献１】特開平１０−４７７８３号
【発明の開示】
【発明が解決しようとする課題】
【０００４】
しかしながら、上記従来の浴槽用温水口装置においては、追い炊き時に温水を循環させる際に、例えば浴槽内に浮遊するゴミ、特に毛髪等が、温水と共に吸込口から区画室内に吸い込まれ、更に区画室から温水経路に吸い込まれて、温水口装置内部や給湯機内に入り込み、装置内部に流路詰まりが生じてしまい、給湯性能を低下させてしまうという問題が発生する。
【０００５】
この発明は、上記従来技術の問題を解消し、毛髪等の異物が装置内部に浸入するのを確実に防止できて、安定した給湯性能を長期間維持することができる浴槽用温水口装置を提供することを目的とする。
【課題を解決するための手段】
【０００６】
上記目的を達成するため、本第１発明は、浴槽壁部に貫通状態に取り付けられる浴槽用温水口装置であって、浴槽内側に突出状に設けられ、かつ後壁が浴槽壁部に沿って配置される区画室部材と、前記区画室部材内に設けられ、かつ浴槽内部に連通する第１及び第２区画室と、前記区画室部材の後壁背面側に設けられ、かつ浴槽外部に連通する第１及び第２流路と、前記第１及び第２区画室と前記第１及び第２流路との間を連通する第１及び第２連通孔路とを備え、前記第１連通孔路が、前記第１区画室内の後壁に設けられ、かつ浴槽外側に向けて凹陥形成された第１凹陥部と、その第１凹陥部の周側部に設けられ、かつ前記第１流路に連通する第１周側開口とを有し、前記第１周側開口に、少なくとも１本以上の桟部材が設けられてなるものを要旨としている。
【０００７】
本第１発明は、例えば追い炊き時等の強制循環時に、第１流路側を吸込側として用いる場合、浴槽内から第１区画室内に吸い込まれた毛髪等のゴミが、第１流路等の装置内部に浸入するのを確実に防止することができる。すなわち第１区画室内に流入した毛髪等は、吸水に伴って、第１連通孔路を通って装置内部の第１流路へと浸入しようとするが、その毛髪等は、第１連通孔路の凹陥部底部に滞留し、第１流路への浸入を防止することができる。しかも、凹陥部内と第１流路とを連通する周側開口には、桟部材が設けられているため、毛髪等はこの桟部材に絡み付いて係止することによっても、第１流路への浸入を確実に防止することができる。従って、浴槽内に浮遊する毛髪等が、装置内部や、外管、ひいては室外給湯機の内部に浸入することがなく、その浸入による不具合をより確実に防止できて、長期間安定した給湯性能を維持することができる。
【０００８】
本第１発明においては、前記第２連通孔路が、前記第２区画室内の後壁に設けられ、かつ浴槽外側に向けて凹陥形成された第２凹陥部と、その第２凹陥部の周側部に設けられ、かつ前記第２流路に連通する第２周側開口とを有し、前記第２周側開口に、少なくとも１本以上の桟部材が設けられてなる構成を採用するのが好ましい。
【０００９】
すなわちこの構成を採用する場合、第１及び第２流路のいずれの流路を吸込側に用いても良く、いわゆる無極性タイプの温水口装置を構成することができる。
【００１０】
上記目的を達成するため、本第２発明は、浴槽壁部に貫通状態に取り付けられる浴槽用温水口装置であって、浴槽内側に突出状に設けられ、かつ後壁が浴槽壁部に沿って配置される区画室部材と、前記区画室部材内に設けられ、かつ浴槽内部に連通する第１及び第２区画室と、前記区画室部材の後壁背面側に設けられ、かつ浴槽外部に連通する第１及び第２流路と、前記第１及び第２区画室と前記第１及び第２流路との間を連通する第１及び第２連通孔路とを備え、前記第１及び第２連通孔路の一端が前記第１区画室内の後壁内面（後壁全面）に開口されるとともに、他端が前記第１及び第２流路内に開口され、前記第１連通孔路の中間部が屈曲形成され、前記第１連通孔路の屈曲部よりも他端側に、少なくとも１本以上の桟部材が設けられてなるものを要旨としている。
【００１１】
本第２発明は、上記第１発明と同様、第１流路側を吸込側として用いる場合、毛髪等が装置内部に浸入するのを確実に防止することができる。すなわち第１区画室内に流入した毛髪等は、第１連通孔路を通過する際に、その孔路の中間屈曲部に滞留し、第１流路に浸入するのを防止できる上更に、毛髪等は、第１連通孔路の他端側に設けられた桟部材に絡み付いて係止することによっても、第１流路への浸入を確実に防止できるため、毛髪等が装置内部や、外管、ひいては室外給湯機内部に浸入するのを確実に防止することができる。
【００１２】
本第２発明においては、前記第２連通孔路の中間部が屈曲形成され、前記第２連通孔路の屈曲部よりも他端側に、少なくとも１本以上の桟部材が設けられてなる構成を採用するのが望ましい。
【００１３】
すなわちこの構成を採用する場合、第１及び第２流路のいずれの流路を吸込側に用いても良く、いわゆる無極性タイプの温水口装置を構成することができる。
【００１４】
また本第２発明においては、前記連通孔路の中間部が略直角に屈曲形成されてなる構成を採用するのが、より一層望ましい。
【００１５】
すなわちこの構成を採用する場合、吸い込まれた毛髪等を、連通孔路の中間屈曲部において確実に滞留させることができるため、毛髪等が装置内部に浸入するのをより一層確実に防止することができる。
【００１６】
なお本発明は、前記区画室部材の外面に、前記第１及び第２区画室にそれぞれ連通する第１及び第２温水口とを備える構成に好適に採用でき、この装置では、以下のような給湯処理と、循環処理とが行われる。
【００１７】
給湯処理は、外部から供給される温水を、前記第１及び第２流路、第１及び第２連通孔路、前記第１及び第２区画室、前記第１及び第２温水口から槽内に供給するするものである。
【００１８】
循環処理は、前記第１温水口から吸い込まれた浴槽水を、前記第１区画室、前記第１連通孔路、前記第１流路に通過させて流出させるとともに、外部から供給される温水を、前記第２流路、前記第２連通孔路、前記第２区画室に通過させて、前記第２温水口から槽内に供給するものである。
【００１９】
この構成を採用する場合、以下の実施形態で詳述するように、第１及び第２区画室内に、第１及び第２フィルターを装着させるのが好ましい。
【００２０】
また本発明は、区画室部材の外面に、第１及び第２区画室にそれぞれ連通する第１及び第２吸込口と、第１及び第２吐出口とを備える構成を好適に採用でき、この構成では、以下のような給湯処理と、循環処理とが行われる。
【００２１】
給湯処理は、外部から供給される温水を、前記第１及び第２流路、第１及び第２連通孔路、前記第１及び第２区画室、前記第１及び第２吐出口から槽内に供給するするものである。
【００２２】
循環処理は、前記第１吸込口から吸い込まれた浴槽水を、前記第１区画室、前記第１連通孔路、前記第１流路に通過させて流出させるとともに、外部から供給される温水を、前記第２流路、前記第２連通孔路、前記第２区画室に通過させて、前記第２吐出口から槽内に供給するものである。
【００２３】
この構成を採用する場合、第１及び第２吸込口には、吸込方向のみ温水を流通させる吸込弁を設けるとともに、第１及び第２吐出口には、吐出方向のみ温水を流通させる吐出弁を設けるのが良い。
【００２４】
更に第１吸込弁及び第１吐出弁は、一体に形成可能であり、第２吸込弁及び第２吐出弁は、一体に形成可能である。
【発明の効果】
【００２５】
以上のように、本発明の浴槽用温水口装置によれば、毛髪等の異物の浸入による装置内部の流路詰まりを確実に防止できて、安定した給湯性能を長期間維持することができるという効果がある。
【発明を実施するための最良の形態】
【００２６】
図１ないし図３はこの発明の実施形態である浴槽用温水口装置（Ｐ）を示す図である。これらの図に示すように、この実施形態の温水口装置（Ｐ）は、浴槽（Ｔ）の側壁に設けられた取付孔（Ｈ）に取り付けられるものであって、浴槽（Ｔ）の外部に設けられた給湯機から供給される温水を浴槽（Ｔ）内に供給して、湯はり等の貯湯処理を行うことができる。更に浴槽（Ｔ）内の温水を吸い込んで給湯機に送り、そこで再加熱して、その高温の温水を浴槽（Ｔ）に戻して、追い焚き等の強制循環処理を行うこともできる。
【００２７】
なお、この温水口装置（Ｐ）は、この装置（Ｐ）が備える２つの外管接続部（１ａ）（１ｂ）に対して、給湯機につながる往き管及び戻り管のどちらを接続しても使用可能な、いわゆる無極性タイプのものである。
【００２８】
本実施形態の温水口装置（Ｐ）は、槽外取付具（１）と、装置本体（１０）とを基本的な構成要素として備えている。
【００２９】
槽外取付具（１）は、一端側（前面側）が開放され、かつ他端側（後面側）が閉塞された円筒形状の外筒体（１２）と、その外筒体（１２）の内部に同軸心上に配置される円筒形状の内筒体（１１）と、外筒体（１２）の一端外周に設けられた平板リング状のフランジ（１５）と、外筒体（１２）の他端閉塞壁に設けられ、かつ軸心方向に沿って他端側に延びる管状の第１及び第２外管接続部（１ａ）（１ｂ）とを一体に有する金属製品をもって構成されている。
【００３０】
内筒体（１１）の内側空間は、第１流路（Ａ）の一部として構成されるとともに、内筒体（１１）及び外筒体（１２）との間の空間は、第２流路（Ｂ）の一部として構成されており、上記第１外管接続部（１ａ）が第１流路（Ａ）に連通されるとともに、第２外管接続部（１ｂ）が第２流路（Ｂ）に連通されている。
【００３１】
更に外筒体（１１）の一端側内周面には、雌ねじ（１４）が刻設されている。
【００３２】
また内筒体（１１）の内周面前端部には、合成ゴム製のオーリング（８１）が収容配置される。
【００３３】
槽外取付具（１）のフランジ（１５）に設けられるリング状の合成ゴム製被覆パッキン（８２）は、その内周面に沿って嵌合溝（８２ａ）が形成されている。そして、この被覆パッキン（８２）が、その嵌合溝（８２ａ）をフランジ（１５）に嵌め込むことにより、フランジ（１５）の外周面ほぼ全域を被覆した状態で密着固定される。
【００３４】
更に被覆パッキン（８２）の前面側は、厚板状に形成されて、パッキン本体（８２ｂ）として構成されるとともに、そのパッキン本体（８２ｂ）の表裏面には、周方向に連続する複数の密着用突条リブ（８２ｃ）が一体に形成されている。
【００３５】
装置本体（１０）は、槽内取付具（２）と、流路形成部材（３）とを有している。
【００３６】
槽内取付具（２）は、両端が開放された円筒形状の筒体（２１）と、その筒体（２１）の一端外周に設けられた平板リング状のフランジ（２５）とを一体に有するポリアセテート樹脂等からなる鍔付き円筒形状の硬質合成樹脂成形品をもって構成されている。
【００３７】
筒体（２１）は、外周面に雄ねじ（２４）が刻設されており、その雄ねじ（２４）及び上記雌ねじ（１４）を介して、上記槽外取付具（１）における外筒体（１２）の筒孔内に螺着できるよう構成されている。
【００３８】
槽内取付具（２）と浴槽（Ｔ）の内壁との間に介在される弾性パッキン（８３）は、フランジ（２５）の形状に対応する平板リング状の合成ゴム成形品をもって構成されている。
【００３９】
更にフランジ（２５）とパッキン（８３）との間に介在される緩衝部材（８４）は、フランジ（２５）の形状に対応する平板リング状に形成されている。この緩衝部材（８４）は、軟質性ないしは弾力性を有するポリエチレン樹脂等の軟質合成樹脂の成形品をもって構成されている。
【００４０】
そして、上記槽外取付具（１）のフランジ（１５）が、浴槽（Ｔ）の外壁面における取付孔（Ｈ）の周縁部に沿うように配置された状態で、槽内取付具（２）のフランジ（１５）が、緩衝部材（８４）及びパッキン（８３）を介して浴槽内壁面における取付孔（Ｈ）の周縁部に圧接されるようにして、槽内取付具（２）の筒体（２１）が取付孔（Ｈ）を通じてねじ込み固定される。これにより、両取付具（１）（２）のフランジ（１５）（２５）が、浴槽側壁における取付孔周縁部を挟持することにより、両取付具（１）（２）が浴槽側壁に貫通状態に固定される。
【００４１】
図１ないし図４に示すように、装置本体（１０）の流路形成部材（３）は、流路形成部材本体（４）と、区画室カバー（６）と、フィルター部材（７）とを具備している。
【００４２】
流路形成部材本体（４）は、硬質合成樹脂の一体成形品からなり、細長円筒形状の筒体（４１）と、その一端に設けられた区画室部材本体（５）とを有している。
【００４３】
筒体（４１）は、上記槽外取付具（１）における内筒体（１１）の内部に適合状態に挿入できる大きさに形成されている。
【００４４】
区画室部材本体（５）は、筒体（４１）の一端に設けられた円板状の後壁（５１）と、その後壁（５１）の前面側外周を囲うようにして設けられた外周壁（５２）とを一体に有している。この区画室部材本体（５）は、径方向の大きさが上記槽内取付具（２）のフランジ（２５）とほぼ同じ大きさに形成されている。
【００４５】
そして、流路形成部材本体（４）が、複数のタッピングビス等のビス（３７）によって上記槽内取付具（２）に組付固定される。すなわち流路形成部材本体（４）の筒体（４１）が槽内取付具（２）の筒体（２１）を通じて、槽外取付具（１）の内筒体（１１）の筒孔に、上記オーリング（８１）を介して適合状態に挿入されるとともに、流路形成部材本体（４）の前面側から複数のビス（３７）が、区画室部材本体（５）の後壁（５１）の外周部に貫通されて、槽内取付具（２）のフランジ（１５）の外周部に螺着される。これにより流路形成部材本体（４）が槽内取付具（２）に組付固定される。
【００４６】
なお図３に示すように、流路形成部材（３）における区画室部材本体（５）の後面側外周縁部と、槽内取付具（２）におけるフランジ（３５）の外周縁部との間には、平板リング状の合成ゴム製パッキン（８５）が介装されて、その間の水密が図られるよう構成されている。
【００４７】
この組付状態においては、槽外取付具（１）の内筒体（１１）の内部が、流路形成部材（３）の筒体（４１）の内部に連通して、第１流路（Ａ）として構成されるとともに、槽外取付具（１）の内外筒体（１１）（１２）間が、槽内取付具（２）の筒体（２１）及び流路形成部材（４）の筒体（４１）間に連通して、第２流路（Ｂ）が構成されている。これらの第１及び第２流路（Ａ）（Ｂ）は、互いに独立して設けられている。
【００４８】
図４及び図１０に示すように、フィルター部材（７）は、区画室部材本体（５）の前面開口形状に対応して、円板形状を有している。このフィルター部材（７）が、軸心（Ｘ）に対し直交した状態で、区画室部材本体（５）の前面側に配置される。
【００４９】
また図４に示すように、区画室カバー（６）は、透明な部材によって構成されており、前面閉塞壁（６１）と、その前面閉塞壁（６１）の外周に設けられた外周壁（６２）とを有している。この区画室カバー（６）が、その前面閉塞壁（６１）によって、区画室部材本体（５）の前面側開口部を閉塞するとともに、外周壁（６２）によって、区画室部材本体（５）の外周壁（５２）の外側を覆う態様に、区画室部材本体（５）に前面側から外嵌されている。
【００５０】
ここで本実施形態においては、区画室部材本体（５）と区画室カバー（６）によって区画室部材（５０）が形成されている。
【００５１】
区画室部材本体（５）における後壁（５１）の前面側には、軸心（Ｘ）に対し直交する方向に沿って仕切壁構成体（５３）が一体に形成されるとともに、その仕切壁構成体（５３）に対応して、区画室カバー（６）における前面閉塞壁（６１）の裏面側には、仕切壁構成体（６３）が一体に形成されている。そして両仕切壁構成体（５３）（６３）の先端同士がフィルター部材（７）を介して、互いに水密状態に接合されている。この仕切壁構成体（５３）（６３）、つまり仕切壁によって、区画室部材（５０）の内部がほぼ二等分されて、互いにほぼ対称な半円形状の第１及び第２区画室（５ａ）（５ｂ）が形成される。これらの第１及び第２区画室（５ａ）（５ｂ）は、互いに独立して設けられている。
【００５２】
図５ないし図９に示すように、区画室部材本体（５）における後壁（５１）の中心寄りの位置には、第１区画室（５ａ）側の半円弧領域が軸心（Ｘ）に沿って浴槽外側（後方）に向けて凹陥形成されることにより、第１凹陥部（５１１ａ）が形成されている。更にこの第１凹陥部（５１１ａ）における周側部（周側壁）の内側（軸心側）には、上記第１流路（Ａ）に連通する第１周側開口（５２２ａ）が形成されている。更にこの第１周側開口（５２２ａ）には、その開口（５２２ａ）に沿って周方向に所定の間隔おきに、複数のリブ状桟部材（５３０ａ）が一体に形成されている。
【００５３】
また区画室部材本体（５）における後壁（５１）の中心寄りの位置には、第２区画室（５ｂ）側の半円領域が軸心（Ｘ）に沿って浴槽外側（後方）に向けて凹陥形成されることにより、第２凹陥部（５１１ｂ）が形成されている。更にこの第２凹陥部（５１１ｂ）における周側部（周側壁）の外側（軸心に対し外側）には、上記第２流路（Ｂ）に連通する第２周側開口（５２２ｂ）が形成されている。更にこの第２周側開口（５２２ｂ）には、その開口（５２２ｂ）に沿って周方向に所定の間隔おきに、複数のリブ状桟部材（５３０ｂ）が一体に形成されている。また第２凹陥部（５１１ｂ）内には、凹陥部内を２つに仕切るようにして、リブ（５４０）が形成されている。
【００５４】
ここで、本実施形態においては、第１及び第２凹陥部（５１１ａ）（５１１ｂ）によって、第１及び第２連通孔路（５１ａ）（５１ｂ）が構成されている。すなわち、第１及び第２連通孔路（５１ａ）（５１ｂ）の一端開口が、第１及び第２凹陥部（５１１ａ）（５１１ｂ）の上端開口（５２１ａ）（５２１ｂ）によって構成されて、第１及び第２区画室（５ａ）（５ｂ）に連通されるとともに、第１及び第２連通孔路（５１ａ）（５１ｂ）の他端開口が、周側開口（５２２ａ）（５２２ｂ）によって構成されて、第１及び第２流路（Ａ）（Ｂ）に連通される。こうして第１及び第２区画室（５ａ）（５ｂ）と第１及び第２流路（Ａ）（Ｂ）とが第１及び第２連通孔路（５１ａ）（５１ｂ）によって連通されている。
【００５５】
なお第１及び第２連通孔路（５１ａ）（５１ｂ）は、その中間部、つまり凹陥部（５１１ａ）（５１１ｂ）の底部付近において、９０°（直角に）に屈曲形成されることになり、この屈曲部（凹陥部底部）が、毛髪等のゴミが滞留する毛髪滞留部として構成されている。
【００５６】
区画室部材本体（５）における第１区画室（５ａ）には、一端が前方に向けて開放され、かつ他端が外周壁（５２）の一側面において開放される第１温水口流路（５４ａ）が形成されている。更に区画室部材本体（５）における第２区画室（５ｂ）には、一端が前方に向けて開放され、かつかつ他端が外周壁（５２）における他側面において開放される第２温水口流路（５４ｂ）が形成されている。
【００５７】
フィルター部材（７）は、その半円形の一方側半部領域が、第１区画室（５ａ）に対応する第１フィルター（７ａ）として構成されるとともに、半円形の他方側半部領域が、第２区画室（５ｂ）に対応する第２フィルター（７ｂ）として構成されている。
【００５８】
各フィルター（７ａ）（７ｂ）は、それを流通する温水等の流通水内に残存するゴミ等の不純物、異物等を取り除くことができるように、多孔質ないしはメッシュ状等に形成されている。
【００５９】
第１区画室（５ａ）は、第１フィルター（７ａ）を境にして、その後方側（浴槽壁側）に第１区画室上流域（５８ａ）が形成されるとともに、前方側（浴槽内部側）に第１区画室下流域（５９ａ）が形成される。
【００６０】
第２区画室（５ｂ）は、第２フィルター（７ｂ）を境にして、その後方側（浴槽壁側）に第２区画室上流域（５８ｂ）が形成されるとともに、前方側（浴槽内部側）に第２区画室下流域（５９ｂ）が形成される。
【００６１】
第１フィルター（７ａ）には、区画室部材本体（５）における上記第１温水口流路（５４ａ）の一端開口部に適合するように、矩形状の第１フィルター開口部（７１ａ）が形成されるとともに、第２フィルター（７ｂ）には、第２温水口流路（５４ｂ）の一端開口部に適合するように、矩形状の第２フィルター開口部（７１ｂ）が形成されている。
【００６２】
また区画室カバー（６）の外周壁（６２）には、区画室部材本体（５）における第１温水口流路（５４ａ）の他端開口部に適合するように、矩形状の第１温水口（６ａ）が形成されるとともに、第２温水口流路（５４ｂ）の他端開口部に適合するように、矩形状の第２温水口（６ｂ）が形成されている。
【００６３】
これにより、第１温水口（６ａ）が、第１温水口流路（５４ａ）及び第１フィルター開口部（７１ａ）を介して、第１区画室下流域（５９ａ）に連通されるとともに、その第１区画室下流域（５９ａ）が、第１フィルター（７ａ）を介して、第１区画室上流域（５８ａ）に連通されている。更に第２温水口（６ｂ）が、第２温水口流路（５４ｂ）及び第２フィルター開口部（７１ｂ）を介して、第２区画室下流域（５９ｂ）に連通されるとともに、その第２区画室下流域（５９ｂ）が、第２フィルター（７ｂ）を介して、第２区画室上流域（５８ｂ）に連通されている。
【００６４】
なお図２等に示すように、流路形成部材（３）の区画室部材本体（５）における外周壁（５２）の外周面には、区画室カバー取付用の複数の鉤状溝（３６）が形成されるとともに、区画室カバー（６）における外周壁（６２）の内周面には、上記複数の鉤状溝（３６）に対応して、複数の係合突起（６６）が内方突出状に形成されている。そして、この係合突起（６６）が鉤状溝（３６）に挿入係合されることにより、区画室カバー（６）が区画室部材本体（５）に外嵌状態に組付固定されている。更にフィルター部材（７）は、区画室部材本体（５）の前面側と区画室カバー（６）の内面側とで挟持されて固定されている。
【００６５】
一方、図１ないし図３に示すように、化粧カバー（９）は、区画室部材（５０）の前面側を覆うように配置される円板状の前面カバーと、その前面カバーの外周縁に沿って設けられ、かつ区画室部材（５０）の外周側面を覆うように配置される側面カバーとを有するステンレス等の金属成形品をもって構成されている。この化粧カバー（９）は、その内周面が区画室部材（５０）の外面に焼き付け処理によって固着されている。
【００６６】
また化粧カバー（９）の前面カバーには、複数の前面開口（９５）が放射状に形成されており、この開口（９５）及び透明な区画室カバー（６）を介して、フィルター部材（７）を視認できるよう構成されている。
【００６７】
更に化粧カバー（９）の側面カバーには、区画室部材（５０）の第１及び第２温水口（６ａ）（６ｂ）にそれぞれ対応して、矩形状の第１及び第２側面開口（９６ａ）（９６ｂ）がそれぞれ形成されており、この開口（９６ａ）（９６ｂ）によって、第１及び第２温水口（６ａ）（６ｂ）が浴槽内に開放するよう構成されている。
【００６８】
以上の構成の温水口装置（Ｐ）は、槽外取付具（１）の外嵌接続部（１ａ）（１ｂ）に、室外給湯機からの往き管及び戻り管の２つの配管がそれぞれ連結されて、浴槽システムが形成される。
【００６９】
図１及び図１１に示すように、この浴槽システムにおいて、浴槽（Ｔ）内に温水を供給して貯湯する場合には、室外給湯機から往き管及び戻り管を介して第１及び第２外管接続部（１ａ）（１ｂ）の双方に温水が供給される。これにより、温水が第１及び第２流路（Ａ）（Ｂ）を通って、第１及び第２連通孔路（５１ａ）（５１ｂ）を介して第１及び第２区画室（５ａ）（５ｂ）の上流域（５８ａ）（５８ｂ）に流入され、更に第１及び第２フィルター（７ａ）（７ｂ）を通って、第１及び第２区画室下流域（５９ａ）（５９ｂ）に導かれる。そしてその温水が、第１及び第２フィルター開口部（７１ａ）（７１ｂ）、第１及び第２温水口流路（５４ａ）（５４ｂ）を通って、第１及び第２温水口（６ａ）（６ｂ）から浴槽内に放出される。
【００７０】
一方、浴槽（Ｔ）内の温水を再加熱するような追い焚き処理を行う場合には、温水口装置（Ｐ）の２つの流路（Ａ）（Ｂ）のうち、室外給湯機の往き管に接続された側の流路が吐出経路として機能し、戻り管に接続された側の流路が吸込流路として機能して、強制循環が行われる。例えば第１流路（Ａ）が吸込流路、第２流路（Ｂ）が吐出流路となるように配管接続された場合には、給湯機から供給される温水は、第２流路（Ｂ）、第２連通孔路（５１ｂ）を通り更に、第２区画室（５ｂ）の上流域（５８ｂ）、第２フィルター（７ｂ）、下流域（５８ｂ）、第２温水口流路（５４ｂ）を通って、第２温水口（６ｂ）から浴槽内に放出される。
【００７１】
また第１流路（Ａ）側の吸込流路においては、室外給湯機の戻り管及び第１流路（Ａ）の負圧に伴い、第１区画室（５ａ）が負圧となる。従って、浴槽（Ｔ）内の温水（浴槽水）は、第１温水口（６ａ）、第１温水口流路（５４ａ）を通って、第１区画室（５ａ）の下流域（５９ａ）に流入される。更にその温水は、第１フィルター（７ａ）、第１区画室上流域（５８ａ）、第１連通孔路（５１ａ）、第１流路（Ａ）、第１外管接続部（１ａ）を通って室外給湯機に戻される。こうして浴槽（Ｔ）と室外給湯機との間で温水が循環されることにより、追い炊き処理が行われる。
【００７２】
この温水循環時において、浴槽（Ｔ）から室外給湯機に吸引される温水は、第１温水口（６ａ）から第１区画室下流域（５９ａ）を通って、更に第１フィルター（７ａ）を通過するものであるため、そのフィルター（７ａ）によって、吸い込まれる温水内のゴミ等の異物、不純物が取り除かれる。従って、温水口装置（Ｐ）の内部、戻り管等の外管、室外給湯機の内部に、ゴミ等が侵入することがなく、その侵入による不具合を確実に防止することができる。
【００７３】
また第１温水口（６ａ）から吸い込まれた毛髪等のゴミが、仮にフィルター（７ａ）を通過したとしても、その毛髪等は装置内部に浸入することはない。すなわちフィルター（７ａ）を通過して第１区画室上流域（５８ａ）に流入した毛髪等は、吸水に伴って、第１連通孔路（５１ａ）を通って第１流路（Ａ）へと浸入しようとするが、その毛髪等は、第１連通孔路（５１ａ）の屈曲部（凹陥部底部）に滞留し、第１流路（Ａ）への浸入を防止することができる。しかも、第１連通孔路（５１ａ）の他端開口（５２２ａ）には、縦縞状に複数の桟部材（５３０ａ）が設けられているため、毛髪等はこの桟部材（５３０ａ）に絡み付いて係止することによっても、第１流路（Ａ）への浸入を確実に防止することができる。従って、浴槽内に浮遊する毛髪等が、装置（Ｐ）の内部や、戻り等の外管、室外給湯機の内部に浸入することがなく、その浸入による不具合をより確実に防止できて、長期間安定した給湯性能を維持することができる。
【００７４】
なお本実施形態において、温水口装置（Ｐ）の２つの流路（Ａ）（Ｂ）を、室外給湯機の往き管及び戻り管に対し、上記とは逆に接続した場合には、各流路（Ａ）（Ｂ）を温水が上記とは逆方向に流通することにより、不具合なく強制循環されるものである。この場合においても、第２温水口（６ｂ）から吸い込まれた毛髪等のゴミが、たとえフィルター（７ｂ）を通過したとしても、その毛髪等は、上記と同様に装置内部に浸入することはない。すなわちフィルター（７ｂ）を通過して第２区画室上流側（５８ｂ）に流入した毛髪等は、吸水に伴って、第２連通孔路（５１ｂ）を通って第２流路（Ｂ）へと浸入しようとするが、その毛髪等は、第２連通孔路（５１ｂ）の屈曲部（凹陥部底部）に滞留し、第２流路（Ｂ）への浸入を防止することができる。しかも第２連通孔路（５１ｂ）の他端開口（５２２ｂ）には、縦縞状に複数の桟部材（５３０ｂ）が設けられているため、毛髪等はこの桟部材（５３０ｂ）に絡み付いて係止することによっても、第２流路（Ｂ）への浸入を確実に防止することができる。従って、浴槽内に浮遊する毛髪等が、装置（Ｐ）の内部や、外管、室外給湯機の内部に浸入することがなく、その浸入による不具合をより確実に防止できて、長期間安定した給湯性能を維持することができる。
【００７５】
また本実施形態の浴槽用温水口装置（Ｐ）においては、貯湯時には第１及び第２温水口（６ａ）（６ｂ）を吐出口として利用し、追い炊き時にはいずれか一方の温水口を吸込口として利用するものである。このように温水口（６ａ）（６ｂ）を、吐出用及び吸込用の双方に兼用させるものであるため、温水口（６ａ）（６ｂ）と、区画室（５ａ）（５ｂ）等の流通経路との位置関係や接続関係を簡素に形成することができる上更に、温水口（６ａ）（６ｂ）に逆流防止用の逆止弁を設ける必要もない。このため、構造の簡素化及び部品点数の削減を図ることができ、小型軽量化はもちろん、コストの削減も図ることができる。
【００７６】
特に本実施形態においては、区画室部材（５０）を、ほぼ左右対称形状に形成することができ、より一層構造の簡素化を図ることができる。
【００７７】
参考までに、本実施形態の浴槽用温水口装置（Ｐ）においては、従来の温水口装置に対し、浴槽内突出部としての区画室部材（５０）における突出寸法を小さくすることができる。
【００７８】
また本実施形態においては、温水流通経路を簡素にできるため、温水の流通抵抗を低減できるとともに、逆止弁等の抵抗手段がなく、圧力損失も低減できるため、温水を高圧で効率良く流通させることができる。このため特に追い炊き時等においては、浴槽内に強い圧力で温水を吐出させることができ、浴槽内における温水の循環を効率良く行うことができ、入浴時における温度分布の偏り等の不具合を有効に防止することができる。
【００７９】
更に本実施形態においては、区画室部材（５０）の両側に温水口（６ａ）（６ｂ）を設けて、追い炊き時には、一方の温水口（６ａ）を介して一側方に向けて温水を吐出させて、他方の温水口（６ｂ）を介して他側方から温水を吸い込むようにしているため、温水口（６ａ）から吐出された温水が、浴槽内を循環せずに他方の温水口（６ｂ）から吸い込まれるようなショートサイクル等の不具合を防止でき、温水を浴槽内において大きく循環させることができ、この点においても、浴槽内の温度分布の偏り等を、より確実に防止することができる。
【００８０】
また本実施形態においては、湯はり時に温水が通過する区画室（５ａ）（５ｂ）内にフィルター（７ａ）（７ｂ）を設けるものであるため、追い炊き時の吸込経路上に配置される第２フィルター（７ｂ）に不純物が付着したとしても、湯はり時にはフィルター（７ｂ）に取り込まれた不純物を自動的に除去して清掃することができる。すなわち、湯はり時には、温水が第２フィルター（７ｂ）が配置された第２区画室（５ｂ）を、追い炊き時とは逆方向に流通するものであるため、この逆流によって第２フィルター（７ｂ）に取り込まれた不純物が取り除かれて、温水口（５ｂ）より浴槽内に放出される。このように湯はり時には、フィルター（７ａ）（７ｂ）を逆流洗浄作用によって自動的に清掃することができ、メンテナンス作業を省略でき、又は少なくともメンテナンス作業を軽減でき、良好な使い勝手を得ることができる。
【００８１】
また本実施形態においては、フィルター清掃作業等を支障なく行うことができる。すなわち化粧カバー（９）の前面カバーに前面開口（９５）を形成するとともに、区画部材（５０）の区画室カバー（６）を透明な部材により構成しているため、開口（９５）及び透明な区画室カバー（６）を介して、フィルター部材（７）を視認することができる。従って、フィルター（７ａ）（７ｂ）の汚れ度合を容易に把握でき、必要時に、フィルター（７ａ）（７ｂ）を清掃することができる。
【００８２】
また本実施形態においては、区画室部材（５０）の周側面から浴槽内に温水を吐出するものであるため、貯湯時に、温水が浴槽内面に沿って滑らかに供給することができ、例えば吐出される温水の飛散による不快音の発生を防止でき、静かに湯はりを行うことができる。
【００８３】
なお、本発明において、区画室のフィルターによる仕切構造は、上記実施形態のものだけに限られることはない。
【００８４】
例えば図１２に示すように、区画室部材（５０）に第１及び第２温水口流路（５４ａ）（５４ｂ）を設けずに、フィルター（７ａ）（７ｂ）の前方側と第１及び第２流路（Ａ）（Ｂ）との間を第１及び第２連通路（１５４ａ）（１５４ｂ）により連通することにより、第１及び第２区画室（５ａ）（５ｂ）におけるフィルター（７ａ）（７ｂ）よりも前方に上流域（５８ａ）（５８ｂ）を形成し、後方に下流域（５９ａ）（５９ｂ）を形成するようにしても良い。
【００８５】
また図１３に示すように、筒状のフィルター部材（７）を区画室部材（５０）の内部に軸心を一致させた状態に配置し、この筒状フィルター部材（７）によって、第１及び第２区画室（５ａ）（５ｂ）を、内外に仕切って、内側を上流域（５８ａ）（５８ｂ）、外側を下流域（５９ａ）（５９ｂ）として構成するようにしても良い。
【００８６】
ところで、上記実施形態等においては、区画室部材（５０）内に弁が設けられない方式の浴槽用温水口装置に適用した場合について説明したが、それだけに限られず、本発明は、区画室部材内に弁が設けられる方式の浴槽用温水口装置にも適用することができる。例えば本発明は、区画室部材の外面に、第１及び第２区画室内に通じる第１及び第２吐出口と、第１及び第２区画室内に通じる第１及び第２吸込口とが設けられて、第１及び第２吐出口に対応する位置に、吐出方向のみに温水を流通させる第１及び第２吐出許容弁が設けられ、第１及び第２吸込口に対応する位置に、吸込方向のみに温水を流通させる第１及び第２吸込許容弁が設けられた方式の浴槽用温水口装置にも適用できる。更に弁付き方式の浴槽用温水口装置の中でも、第１吐出許容弁及び第１吸込許容弁が一体に形成されるとともに、第２吐出許容弁及び第２吸込許容弁が一体に形成された方式の浴槽用温水口装置にも適用することができる。
【００８７】
また本発明において、フィルター部材は、必ずしも装置内部に設ける必要はなく、例えば化粧カバー等の装置外周面に設けるようにしても良い。
【産業上の利用可能性】
【００８８】
この発明の浴槽用温水口装置は、室外給湯機から浴槽内にお湯を供給するに際して、浴槽壁面に設けられる温水アダプター等の温水供給口部材として利用可能である。
【図面の簡単な説明】
【００８９】
【図１】この発明の実施形態である浴槽用温水口装置を示す断面図である。
【図２】実施形態の温水口装置を分解して示す断面図である。
【図３】実施形態の温水口装置を分解して示す斜視図である。
【図４】実施形態の温水口装置における流路形成部材を分解して示す斜視図である。
【図５】実施形態の温水口装置における流路形成部材本体を示す正面図である。
【図６】実施形態の温水口装置における流路形成部材本体を示す背面図である。
【図７】図５のＤ−Ｄ線断面図である。
【図８】実施形態の流路形成部材本体における連通孔路部分を拡大して示す側面断面図である。
【図９】実施形態の流路形成部材本体における連通孔路部分を拡大して示す正面断面図である。
【図１０】実施形態の温水口装置いおけるフィルター部材を示す正面図である。
【図１１】実施形態の流路形成部材を模式化して示す断面図である。
【図１２】この発明の第１変形例として温水口装置における流路形成部材を模式化して示す断面図である。
【図１３】この発明の第２変形例として温水口装置における流路形成部材を模式化して示す断面図である。
【符号の説明】
【００９０】
５ａ、５ｂ…区画室
５０…区画室部材
５１…後壁
５１ａ、５１ｂ…連通孔路
５１１ａ、５１１ｂ…凹陥部
５２１ａ、５２１ｂ…上端開口（一端開口）
５２２ａ、５２２ｂ…周側開口（他端開口）
５３０ａ、５３０ｂ…桟部材
Ａ、Ｂ…流路
Ｐ…浴槽用温水口装置
Ｔ…浴槽
【図１】
2005308343.tif 000003
【図２】
2005308343.tif 000004
【図３】
2005308343.tif 000005
【図４】
2005308343.tif 000006
【図５】
2005308343.tif 000007
【図６】
2005308343.tif 000008
【図７】
2005308343.tif 000009
【図８】
2005308343.tif 000010
【図９】
2005308343.tif 000011
【図１０】
2005308343.tif 000012
【図１１】
2005308343.tif 000013
【図１２】
2005308343.tif 000014
【図１３】
2005308343.tif 000015